(57)【要約】【課題】  簡便な方法でありながら高い繁殖抑止効果を持ち、且つ周囲の環境にも悪影響を及ぼさないような鳥類卵の孵化抑止方法及びその装置を提供することにある。【解決手段】  粒状のドライアイス６と、このドライアイス６を封じ込めるゴム風船５と、ゴム風船５をカワウの巣２の上まで移動するロッド４と、膨張したゴム風船５に刺してゴム風船５を破裂させる金属針９とを備えている。金属針９の作動はプッシュスイッチ８で操作する。【選択図】  図１
2008289431.tif 000002
【特許請求の範囲】
【請求項１】
巣の中にある鳥類の卵を冷却することで孵化を抑止する鳥類卵の孵化抑止方法。
【請求項２】
前記卵を粒状のドライアイスによって覆う請求項１に記載の鳥類卵の孵化抑止方法。
【請求項３】
前記粒状のドライアイスによって巣の中の卵を一部が露出する程度に覆う請求項２に記載の鳥類卵の孵化抑止方法。
【請求項４】
前記ドライアイスをゴム風船の中に封じ込め、鳥類の卵がある巣の上方でゴム風船を割り、巣の中に粒状のドライアイスを放出する請求項２又は３に記載の鳥類卵の孵化抑止方法。
【請求項５】
前記ゴム風船がドライアイスから発生する二酸化炭素によって膨張し、膨張したゴム風船に刺激を加えて破砕させ、その破裂圧によって粒状のドライアイスを勢いよく巣の中に放出する請求項４に記載の鳥類卵の孵化抑止方法。
【請求項６】
粒状のドライアイスと、
このドライアイスを封じ込めるゴム風船と、
ゴム風船を鳥類の巣の上方まで移動する移動手段と、
膨張したゴム風船に刺激を加えてゴム風船を破裂させる破裂開始手段と、
を備えたことを特徴とする鳥類卵の孵化抑止装置。
【請求項７】
前記移動手段は伸縮自在なロッドからなり、ロッドの先端部に前記ゴム風船が固定される請求項６に記載の鳥類卵の孵化抑止装置。
【請求項８】
前記破裂開始手段は、ゴム風船を刺す鋭利部材と、この鋭利部材を作動させる駆動部と、この駆動部を操作する操作部とを備える請求項６に記載の鳥類卵の孵化抑止装置。
【発明の詳細な説明】
【技術分野】
【０００１】
本発明は鳥類の卵を巣の中にある状態で孵化を抑止する鳥類卵の孵化抑止方法及びその装置に関するものである。
【背景技術】
【０００２】
近年、カワウは繁殖期に河川敷や中洲にコロニーを作って営巣することが知られており、カワウの繁殖期と鮎の稚魚を放流する時期とが重なることから、内水面漁業に甚大な被害が発生している。
【０００３】
従来、カワウの繁殖を抑える手段として、例えば特許文献１に開示の方法が知られている。この抑止方法は、カワウの卵に似せて作った擬似卵を営巣の時期に本物の卵と入れ替え、この擬似卵を親鳥に抱かせることで繁殖を抑えるものである。
【０００４】
また、他の抑止方法として、例えば特許文献２に開示の方法も知られている。この方法は、無線操縦のヘリコプターに界面活性剤の希釈液を積み、ヘリコプターをカワウの巣の上まで誘導したのち界面活性液を空中散布し、卵の表面に液体を付着させることで繁殖を抑えるものである。具体的には卵の表面に付着した界面活性液によって卵殻の気孔を閉塞し、卵を窒息させて死滅させるか、又は卵の表面に付着した界面活性液を卵の内部に侵入させて卵を死滅させる方法である。
【０００５】
しかしながら、上記従来の繁殖抑止方法には以下のような問題点が有る。前者の場合には作業者が本物の卵と擬似卵とを直接手に持って交換する必要があるが、一般にカワウの巣は樹木の高いところに作られるために、その交換作業が非常に困難である。一方、後者の場合にはヘリコプターから空中散布される界面活性液によって周囲の環境を汚染するおそれがある。
【特許文献１】特開２００３−６１５５３号公報
【特許文献２】特開２００６−１４１２２０号公報
【発明の開示】
【発明が解決しようとする課題】
【０００６】
そこで、本発明が解決しようとする課題は、簡便な方法でありながら高い繁殖抑止効果を持ち、且つ周囲の環境にも悪影響を及ぼさないような鳥類卵の孵化抑止方法及びその装置を提供することにある。なお、本発明はカワウ以外の野鳥の卵に対しても繁殖抑止効果を持つものである。
【課題を解決するための手段】
【０００７】
本発明の鳥類卵の孵化抑止方法は、巣の中にある鳥類の卵を冷却することで孵化を抑止するものである。冷却手段の一例としては粒状のドライアイスで鳥類の卵を覆うことである。また、ドライアイスで鳥類の卵を覆う手段としては、例えば粒状のドライアイスをゴム風船の中に封じ込め、鳥類の卵がある巣の上方でゴム風船を破裂させ、巣の中に粒状のドライアイスを放出することで卵を覆うことができる。
【０００８】
また、本発明の鳥類卵の孵化抑止装置は、粒状のドライアイスと、このドライアイスを封じ込めるゴム風船と、ゴム風船を鳥類の巣の上まで移動する移動手段と、膨張したゴム風船に刺激を加えてゴム風船を破裂させる破裂開始手段とを備えている。前記移動手段としては例えば伸縮自在なロッドである。また、前記破裂開始手段は、ゴム風船を刺す鋭利部材を備える。
【発明の効果】
【０００９】
本発明の鳥類卵の孵化抑止方法によれば、周囲の環境に悪影響を及ぼさない簡易な方法でありながら、鳥類卵の孵化を効果的に抑止することができる。
【００１０】
本発明の鳥類卵の孵化抑止装置によれば、簡易な構造で操作も容易でありながら巣の中にドライアイスを確実に放出して卵を覆うことができる。
【発明を実施するための最良の形態】
【００１１】
本発明に係る以下、添付図面に基づいて本発明に係る鳥類卵の孵化抑止方法及びその装置を実施するための最良の形態を詳細に説明する。図１は本発明の孵化抑止方法を実施する場合の一例を示したものであり、樹木１の高い所の枝別れ部分などに作られたカワウの巣２の上方にロッド４の先端に取り付けられたゴム風船５を配置した状態が示されている。この方法ではゴム風船５の中には粒状のドライアイス６が封じ込められ、ドライアイス６の昇華に伴って発生した二酸化炭素が充満することでゴム風船５が膨張する。作業者７が手元のプッシュスイッチ８を押すと、ロッド４の先端に設けた金属針９が作動してゴム風船５を刺し、ゴム風船５が破裂して中の粒状のドライアイス６が巣２の中に勢いよく放出され、巣２の中にあるカワウの卵１０を覆うことができる。
【００１２】
本発明の孵化抑止方法では、卵１０を覆っている粒状のドライアイス６によって卵を冷却し、この冷却効果によって卵１０の発育を停止させ孵化を抑止することができる。本発明では発育の停止によって孵化しない卵を再びカワウが抱くことを目的としているので、ドライアイス６の冷却時間が重要となる。ドライアイス６の冷却時間が長すぎると卵１０が割れるおそれがあり、カワウが再び産卵する可能性が高くなる。一方、ドライアイス６の冷却時間が短すぎると冷却効果が不十分となって孵化するおそれがある。しかしながら、ドライアイス６の昇華時間は気象条件や巣２の中の卵数などによっても左右されることから、ゴム風船５の中に封じ込めるドライアイス６の量はその時の気象条件や卵の数などを考慮して決める必要がある。実験の結果、巣の中に粒状のドライアイス６が放出された時に、木の枝などで密に作られている巣２の底にドライアイス６が適量溜まると同時に、卵１０の上部が少し露出する程度、例えばドライアイスが卵の２／３程度を覆っている量が好ましい。この程度の量であれば、ドライアイス６は約３０〜９０分程度で昇華すると思われ、効果的な冷却が得られる。なお、ドライアイスが卵全体をすっぽり厚く覆ってしまう量になると、卵の中には割れるものが出るおそれがある。
【００１３】
ドライアイス６は昇華するので、昇華後にはカワウの卵１０が再び現われる。その卵１０は見た目には産卵した状態と全く変わらないので、カワウがその卵１０を再び温める確率が高い。即ち、カワウは孵化しない卵を何時までも温めることになり、孵化を諦めるまでは再び産卵することもないので、結果的にカワウの繁殖を抑えることができる。また、ドライアイスは昇華する際に二酸化炭素を発生するだけなので、周囲に環境汚染を引き起こすこともない。
【００１４】
また、この実施形態ではドライアイス６を粒状に形成することで卵１０との接触面積を増やし、効率的な冷却効果を得られるようにしている。粒状にすることで結果的にはドライアイスの放出量も少なめに調整することができる。粒状のドライアイスは、例えばドライアイスの塊を細かく破砕することで容易に得られる。粒の大きさは特に限定されない。
【００１５】
この実施形態では粒状のドライアイス６をゴム風船５の中に封じ込め、ドライアイス６から発生する二酸化炭素を充満させることでゴム風船５を膨張させている。このように膨張したゴム風船５を巣の真上に保持し、その状態でゴム風船５を割って中のドライアイスを放出させているが、ゴム風船５を割った時の内部の破裂圧によってドライアイス６が勢いよく放出されるために、ドライアイス６が巣２の中の一点に偏ることなく、巣２全体に広がって放出されることから、巣２の中に卵１０が複数あってもこれらを均一に覆うことができる。
【００１６】
次に、上記で説明した鳥類卵の孵化抑止方法を実施するための装置について説明する。
図２乃至図６にはこの実施形態に係る孵化抑止装置の一実施例が示されている。孵化抑止装置３は、粒状のドライアイス６と、このドライアイス６を封じ込めるゴム風船５と、ゴム風船５を先端に固定したロッド４と、膨張したゴム風船５に刺激を加えてゴム風船５を破裂させる破裂開始手段とを備える。
【００１７】
ロッド４としては、例えば伸縮自在な釣り竿を利用することができる。カワウの巣２の高さに応じてロッド４を伸縮させることで、ロッド４の先端に固定したゴム風船５を巣２の真上に容易に保持することができる。
【００１８】
粒状のドライアイス６は、図３に示したように、三角フラスコ１２など目盛の付いている容器に一旦投入したのち、ゴム風船５に移し替えることが好ましい。しぼんだ状態のゴム風船５の口を三角フラスコ１２の首部１３に嵌め込んだのち、図２に示したように、三角フラスコ１２を逆さにすると、粒状のドライアイス６が三角フラスコ１２からゴム風船５の方に順次落下して移り替わる。三角フラスコ１２の首部１３をロッド４の先端から延びる剛性アーム１４に固定することでゴム風船５が安定した姿勢を取ることができる。また、ゴム風船５は三角フラスコ１２と結合されたままなので、内部の気密性が保たれ、ドライアイス６から発生する二酸化炭素がゴム風船５内に次第に溜まることでゴム風船５が膨張する。
【００１９】
ゴム風船５の破裂開始手段は、作動杆１５の先端に取り付けられた鋭利部材としての金属針９と、この金属針９を作動させる駆動部１１と、この駆動部１１を操作する操作部１６とを備える。作動杆１５は、剛性アーム１４に基端１８が回転可能に支持され、基端１８を支点として自由に揺動する。また、作動杆１５の先端には係止溝１７が設けられている（図６参照）。
【００２０】
一方、図２及び図６に示したように、駆動部１１は、例えばロッド４の先端に取り付けられたモータ２０と、このモータ２０の減速ギヤ部２１とからなる。減速ギヤ部２１には鉤型の出力軸２２が設けられ、この出力軸２２に前記作動杆１５の先端の係止溝１７を係合させている。他方、操作部１６はロッド４の基端に設けられ、前記モータ２０の駆動源となるバッテリ２３と、モータ２０を作動させるためのプッシュスイッチ８とからなる。
【００２１】
プッシュスイッチ８を押すとモータ２０に電気が供給されてモータ２０が回転すると共に減速ギヤ部２１の出力軸２２が回転する。この出力軸２２の回転によって作動杆１５の係止溝１７の係合が外れると、作動杆１５は基端１８を支点として自由に揺動し、図４及び図５に示したように、作動杆１５が矢印方向に回動したときに、先端の金属針９がゴム風船５に刺さってゴム風船５が割れる。図４に示したように、ゴム風船５は膨張した状態にあるので内部のガス圧によって破裂し、図５に示したように、粒状のドライアイス６が勢いよく且つ巣２の全体に広く放出される。そのため、図５に示したように、巣２の中にある複数の卵１０全体を均一に覆うことができる。なお、ゴム風船５が割れたのを確認してからプッシュスイッチ８を離してモータ２０の駆動を停止する。
【００２２】
次に、上記構成からなる孵化抑止装置を用いて実施する場合の操作手順を図２乃至図７に基づいて説明する。
先ず三角フラスコ１２に粒状のドライアイス６を適量入れる。ドライアイス６の量は巣の中にある卵の数や気象条件などを考慮して決定する。
【００２３】
次いで、三角フラスコ１２の首部１３にゴム風船５の口を嵌め込んだのち、三角フラスコ１２が上に、ゴム風船５が下になるようにロッド４の先端、詳細にはロッド４の先端から延びる剛性アーム１４の先端にホルダ１９で固定する。
【００２４】
作動杆１５の先端の係止溝１７が減速ギヤ部２１の出力軸２２に係合しているのを確認してから、ロッド４を操作してゴム風船５を巣２の真上に保持する。
【００２５】
ゴム風船５が十分に膨張したのを確認してからプッシュスイッチ８を押す。モータ２０及び減速ギヤ部２１が作動することで係合溝１７が外れる。作動杆１５が自由に揺動することでゴム風船５に金属針９が刺さる。
【００２６】
膨張した状態にあるゴム風船５は金属針９が刺さることで破裂する。ゴム風船５の破裂圧によって粒状のドライアイス６は勢いよく放出され、一箇所に偏ることなく巣２全体に広がり、複数の卵１０をほぼ均等に覆うことができる。ドライアイス６は次第に昇華しながら卵１０を冷却し、卵１０の発育を停止させることで孵化を抑止する。
【００２７】
なお、ドライアイスの放出処理が済んだら、ロッド４を操作して割れたゴム風船を回収し、次の処理のため再び同様の準備をする。
【００２８】
上記実施形態で使用したドライアイス及びゴム風船は取扱いが容易であり、安価で入手し易い。また、鳥卵の孵化抑止効果も大きい上に周囲の環境にも悪影響を及ぼさないなど、実用上極めて有益な手段である。
【実施例】
【００２９】
（実施例１）
巣から採取したカワウの卵に対して室内でドライアイス処理を行ない、その時の孵化抑止効果を調べた。直径約３０ｃｍ、深さ約１０ｃｍのプラスチック容器に桜の木の枝を薄く敷き詰め、その上にカワウの巣から採取した卵を複数個並べ、その上から粒状のドライアイスを振り掛けて卵を覆うようにした。室温約１４℃の室内でドライアイスを自然消滅させた。消滅時間はドライアイスの量によって約３０−９０分の範囲であった。ドライアイスの消滅後すぐに卵を孵化器に入れ、卵割日まで孵化器内を約４０℃に保った。
【００３０】
卵割日に孵化器から卵を取出し、卵を割って中の状態を観察した。その結果、サンプル１では４個の卵が割れた状態にあり卵白がゼリー状に変質して腐敗していた。残りの１個の卵も孵化する様子は認められなかった。サンプル２では１個の卵が割れた状態にあったが、残り３個の卵には外観状の変化は見られなかった。また、この３個の卵に孵化する様子は認められなかった。サンプル３，４では７個全ての卵に外観状の変化は見られず、また孵化する様子も認められなかった。サンプル５では２つの卵とも心臓の鼓動が認められ、あと５日くらいで孵化しそうであった。以上の結果を表１に示す。
【００３１】
【表１】
2008289431.tif 000003
【００３２】
（実施例２）
野外において、カワウの巣の中にある卵に対してドライアイス処理を行ない、その時の孵化抑止効果を調べた。４月中旬から５月上旬までの３日間で、２２箇所のカワウの巣に対して実施した。予め巣の中に卵があることを確かめた後、上記の孵化抑止装置を用いてドライアイスを巣の中に放出した。
【００３３】
処理日から１週間後に河川の土手の上から双眼鏡で巣の中を観察し、さらに処理日から３週間後にロッドの先端に取り付けた鏡で直接巣の中を確認したが、全てのサンプルについて雛の孵化は認められなかった。以上の結果を表２に示す。
【００３４】
【表２】
2008289431.tif 000004
【図面の簡単な説明】
【００３５】
【図１】本発明に係る鳥類卵の孵化抑止方法の一実施例を示す説明図である。
【図２】本発明に係る鳥類卵の孵化抑止装置の一実施形態を示す説明図である。
【図３】ゴム風船の中にドライアイスを封じ込める手段の一例を示す説明図である。
【図４】本発明の孵化抑止装置において、ゴム風船が膨張した状態を示す説明図である。
【図５】本発明の孵化抑止装置において、ゴム風船が破裂した状態を示す説明図である。
【図６】本発明の孵化抑止装置において、ゴム風船の破裂開始手段の一例を示す説明図である。
【図７】本発明の孵化抑止装置の操作手順を示す説明図である。
【符号の説明】
【００３６】
１  樹木
２  巣
３  孵化抑止装置
４  ロッド
５  ゴム風船
６  粒状のドライアイス
７  作業者
８  プッシュスイッチ
９  金属針
１０  卵
１１  駆動部
１２  三角フラスコ
１４  剛性アーム
１５  作動杆
１６  操作部
１７  係止溝
２０  モータ
２１  減速ギヤ部
２２  出力軸
【図１】
2008289431.tif 000005
【図２】
2008289431.tif 000006
【図３】
2008289431.tif 000007
【図４】
2008289431.tif 000008
【図５】
2008289431.tif 000009
【図６】
2008289431.tif 000010
【図７】
2008289431.tif 000011